(57)【要約】【課題】高い防水性を有し、スイッチ操作が簡易かつ確実な携帯用ライトの提供を目的とするものである。【解決手段】本発明の携帯用ライトは、ａ）透明域がある前部９及びこの前部９に着脱可能かつ水密に螺合する後部１０を有する筒状のケーシング１と、ｂ）ケーシング１内の前部９透明域近傍に配設されるランプ２と、ｃ）ケーシング１内に配設される電池収納部３と、ｄ）ランプ２及び電池収納部３の電池７を電気的に接続可能に構成する電気的回路４と、ｅ）永久磁石１４を有し、ケーシング１外面側にスライド可能に付設されるスイッチ５と、ｆ）永久磁石１４の移動を検知するマグネチックセンサー１９を有し、このマグネチックセンサー１９の検知信号に応じて電気的回路４を断続する制御部６とを備えている。【選択図】  図１
2005063696.tif 000002
【特許請求の範囲】
【請求項１】
透明域がある前部及びこの前部に着脱可能かつ水密に螺合する後部を有する筒状のケーシングと、
ケーシング内の前部透明域近傍に配設されるランプと、
ケーシング内に配設される電池収納部と、
ランプ及び電池収納部の電池を電気的に接続可能に構成する電気的回路と、
永久磁石を有し、ケーシング外面側にスライド可能に付設されるスイッチと、
永久磁石の移動を検知するマグネチックセンサーを有し、このマグネチックセンサーの検知信号に応じて電気的回路を断続する制御部と
を備える携帯用ライト。
【請求項２】
上記スイッチが、ケーシングに対してスライド方向に弾設されるバネを有し、スライド方向の一方側に付勢されている請求項１に記載の携帯用ライト。
【請求項３】
上記制御部が、スイッチのスライドに応じ、ランプの消灯、点滅及び点灯を切替可能に構成されている請求項１又は請求項２に記載の携帯用ライト。
【発明の詳細な説明】
【０００１】
【発明の属する技術分野】
本発明は、携帯用ライトに関し、詳細には高い防水性及びスイッチ操作性を有する携帯用ライトに関するものである。
【０００２】
【従来の技術】
内蔵電池により発光する携帯用ライトは、今日では、非常用の懐中電灯以外にも、自転車等のヘッドランプとして使用されたり、トレッキング、登山、ダイビングなどのレジャーにおける照明及び相互位置確認用に使用されている。そのため、携帯用ライトは、簡易かつ確実なスイッチ操作性及び高い防水性を有することが要求されている。
【０００３】
従来の携帯用ライトは、一般的には、（ａ）透明な前端部及び後部が螺合してなる円筒状のケーシングと、（ｂ）ケーシング内の前端部付近に配設されるランプと、（ｃ）ケーシング内に収納される電池と、（ｄ）ランプ及び電池を電気的に接続可能に構成する電気的回路と、（ｅ）電気的回路を断続するためのスイッチとを備えている。このスイッチは、通常、ケーシング内外に貫通するスライド式スイッチ、押しボタン式スイッチ等が採用されており、携帯用ライトの外側からの操作により電気的回路を断続するよう構成されている。
【０００４】
【発明が解決しようとする課題】
上記従来の携帯用ライトでは、ケーシングを構成する前端部と後部との螺合部分やスイッチ部分が防水性を低下させる要因となる。この前端部と後部との螺合部分に関しては、ゴム製のＯリングを嵌挿することで防水性をかなり向上させることができる。しかし、スイッチ部分に関しては、ケーシング内外に貫通しているため、防水性の向上には構造的に一定の限界がある。そのため、従来の携帯用ライトは、経時的使用によりスイッチ部分から内部に漏水が生じ、寿命が短くなるという不都合がある。特に、携帯用ライトを自転車やダイビング等の水分な付着しやすい環境で使用する場合、上記防水性の問題は顕著である。
【０００５】
また、上記押しボタン式スイッチによれば、外面へのゴムシートの敷設等の手段によって防水性を向上することができるが、ケーシング内外に連通する隙間を無くして完全に防水することはできず、逆に、水圧等の意図せぬ押圧によりスイッチが入り、電池を消耗してしまう不都合もある。
【０００６】
本発明はこれらの不都合に鑑みてなされたものであり、高い防水性を有し、スイッチ操作が簡易かつ確実な携帯用ライトの提供を目的とするものである。
【０００７】
【課題を解決するための手段】
上記課題を解決するためになされた発明は、（ａ）透明域がある前部及びこの前部に着脱可能かつ水密に螺合する後部を有する筒状のケーシングと、（ｂ）ケーシング内の前部透明域近傍に配設されるランプと、（ｃ）ケーシング内に配設される電池収納部と、（ｄ）ランプ及び電池収納部の電池を電気的に接続可能に構成する電気的回路と、（ｅ）永久磁石を有し、ケーシング外面側にスライド可能に付設されるスイッチと、（ｆ）永久磁石の移動を検知するマグネチックセンサーを有し、このマグネチックセンサーの検知信号に応じて電気的回路を断続する制御部とを備える携帯用ライトである。
【０００８】
当該携帯用ライトは、ケーシング内にランプ、電池収納部、電気的回路及び制御部を備えていることから、電池収納部に電池を入れ、スイッチ操作に基づき制御部により電気的回路を接続し、ランプに通電することで、ランプを発光させ、前部の透明域から光を照射することができる。
【０００９】
また、当該携帯用ライトは、ケーシング外面側にスイッチをスライド可能に備えており、スイッチが有する永久磁石の移動をマグネチックセンサーで検知し、この検知信号によって制御部が電気的回路の断続するよう構成されている。そのため、当該携帯用ライトは、従来のようにスイッチ部分がケーシング内外を貫通するよう構成されていないため、スイッチ部分からの漏水が完全に防止され、防水性が格段に向上する。
【００１０】
当該携帯用ライトにおいて、上記スイッチは、ケーシングに対してスライド方向に弾設されるバネを有し、スライド方向の一方側に付勢するとよい。また、上記制御部は、スイッチのスライドに応じ、ランプの消灯、点滅及び点灯を切替可能に構成するとよい。
【００１１】
当該携帯用ライトは、電気的回路を断続する制御部を備え、マグネチックセンサーで検知したスイッチ（永久磁石）の移動に応じて電気的回路の断続を制御している。そのため、当該携帯用ライトは、ランプの点灯形態及びその切替のためのスイッチの動作形態を任意に設定することができ、その結果、当該手段のようにバネの弾発力に抗してスイッチをスライド方向に一往復させることでランプの点灯形態を切り替えるよう構成することができ、ランプの消灯、点滅及び点灯を切替可能に構成することができる。かかるスイッチ操作によれば、ランプの点灯形態の切り替え操作が簡易かつ確実になる。また、かかるランプの点灯形態によれば、当該携帯用ライトの利用度及び便利性が向上する。
【００１２】
本発明において、「携帯用ライト」とは、身に付けたり、手に持ったりするライトに限定されるものではなく、小型・軽量で携帯に便利なライトを意味し、例えば自転車等に付設するためのライトをも含む概念である。「透明」とは、半透明を含む概念であり、かつ、無色透明及び有色透明の別は問わない概念である。「筒状」とは、前端及び後端が閉じた管状を意味し、その断面形状が円形に限定されない概念である。
【００１３】
【発明の実施の形態】
以下、適宜図面を参照しつつ本発明の実施の形態を詳説する。図１は本発明の一実施形態に係る携帯用ライトを示す断面図、図２は図１の携帯用ライトのスイッチ及び制御部を示す模式的拡大図である。
【００１４】
図１の携帯用ライトは、ケーシング１、ランプ２、電池収納部３、電気的回路４、スイッチ５、制御部６、電池７及び係合部８を備えている。
【００１５】
ケーシング１は、中空の筒状であり、着脱可能かつ水密に螺合する前部９及び後部１０からなる。前部９は、後方が開口した円筒状であり、少なくとも前端にランプ２が発する光線を透過する透明域を有し、前端の中央部に透過光線を集光する凸レンズ部１１を有している。後部１０は、前方が開口した筒状であり、螺合部分は円筒とされているが、後方の形状は後述する電池収納部３の形状に沿わせた形状等任意に形成することができる。前部９と後部１０とは互いの円筒開口が着脱可能に螺合されている。この前部９及び後部１０の螺合部には２本のゴム製Ｏリング１２が挿嵌されており、ほぼ完全な水密性が確保されている。
【００１６】
ランプ２は、前部９の透明域（前端部）に向けて発光するようケーシング１内（特に後部１０内）に配設されている。このランプ２の種類は、特に限定されるものではなく、例えば発光ダイオード（ＬＥＤ）、白熱ランプ、蛍光ランプ等の種々のものが使用される。中でも、寿命が長く、電力消費量も小さい発光ダイオードが特に好ましい。
【００１７】
電池収納部３は、ケーシング１の後部１０内に配設されている。この電池収納部３は、収納する電池７の形状に応じ、電池７が保持できるような中空形状に形成されている。
【００１８】
電気的回路４は、ランプ２と電池７とを電気的に接続可能に構成されている。この電気的回路４の具体的構成としては、特に限定されず、種々の公知の手段が採用される。電気的回路４は、例えば電池７の両極に弾発的に当接する接点板、導線等から構成され、必要に応じてコンデンサー、抵抗等が組み込まれる。かかる接点板及び導線は、電気伝導性、強度及び耐久性に優れる銅、鉄、アルミニウム、ニッケル、それらの合金などが用いられる。
【００１９】
スイッチ５は、本体１３、永久磁石１４、カバー１５、バネ１６及びグリップ部１７を有している。本体１３は、後部１０の外面側に形成された前後方向の凹条溝に嵌合され、前後方向にスライド可能に付設されている。永久磁石１４は、本体１３の下面側（ケーシング１外面への当接面側）に埋設されている。この永久磁石１４の種類としては、特に限定されるものではなく、例えばＫＳ磁石、ＭＫ磁石、新ＫＳ磁石、フェライト磁石等が用いられる。カバー１５は、本体１３の上面及び側面を被覆するよう配設されており、本体１３の脱落を防止する。なお、カバー１５の上部にはスリットが形成されており、このスリットに本体１３の凸部が挿入されている。バネ１６は、ケーシング１（詳細にはケーシング１に当接するカバー１５）と本体１３との間にかつ前後方向（スライド方向）に弾設されている。このバネ１６により、本体１３が前後方向の後方側に付勢されている。グリップ部１７は、指の腹に沿う形状の操作片であり、カバー１５の上面側に付設され、かつカバー１５のスリットから突出する本体１３の凸部と連結結合され、本体１３と共に前後方向にスライド可能に付設されている。
【００２０】
上記構造のスイッチ５は、グリップ部１７に指を当ててバネ１６に抗して前方にスライドさせることで、本体１３及び永久磁石１４を前方にスライドさせることができ、その後、グリップ部１７から指を放すことで、バネ１６の弾発力により本体１３及び永久磁石１４が後方に戻る。
【００２１】
制御部６は、図２に示すように電気的回路４の途中に組み込まれており、電気的回路４の断続を制御するよう構成されている。制御部６は、具体的にはグリーンボード１８上に組み込まれるマグネチックセンサー１９、ゴム被覆チップメモリー２０などを有している。このマグネチックセンサー１９は、密封されたガラス管２１と、ガラス管２１内の両端部から延び、互いの先端部が僅かの間隔を開けて重ねられている一対の金属線２２，２３とを有している。このマグネチックセンサー１９は、通常の状態では図２（ａ）に示すように一対の金属線２２，２３が接触していないが、永久磁石１４が接近した状態では図２（ｂ）に示すように一対の金属線２２，２３の先端が接触し、電通する状態となる。かかる構造のマグネチックセンサー１９は、スイッチ５の永久磁石１４を前方にスライドさせた位置の近傍に配設されており、永久磁石１４の接近を検知することができる。この金属線２２，２３の材料としては、永久磁石１４の接近により湾曲して接触できるものであれば特に限定されず、例えば低炭素鋼、ケイ素鋼、パーマロイ、センダスト等の高透磁率材料やニッケル含有合金、フェライト等の磁歪材料が用いられる。チップメモリー２０は、マグネチックセンサー１９による永久磁石１４の接近を検知する信号（１回の電通）に起因して電気的回路４を断続し、ランプ２の点灯形態を切り替えるよう記憶されている。
【００２２】
上記構造の制御部６は、スイッチ５を前方にスライドさせることで、電気的回路４の断続を制御し、ランプ２の点灯形態を切り替えることができる。ランプ２の点灯形態としては、特に限定されないが、当該携帯用ライトの利用度及び便利性の面から消灯、点滅及び点灯が好ましい。なお、点滅のタイミング、リズム等は任意に設定することができ、タイミング等が異なる点滅形態を切替可能に構成することも可能である。
【００２３】
電池７は、ランプ２を点灯する電力及び所定の寿命が確保できれば特に限定されるものではなく、例えばマンガン乾電池、アルカリマンガン乾電池、酸化銀電池、水銀電池、ニッケル−亜鉛電池、空気電池、リチウム電池、ニッケル−カドミウム畜電池、太陽電池などを使用することがだえきる。電池７のサイズや個数も、特に限定されず、例えば第一型、単二型、単三型、単四型、単五型、ボタン型等を当該携帯用ライトのサイズに応じて任意に選択することができる。
【００２４】
係合部８は、円形開口を形成する係合片２４と、この係合片２４の内径を可変にするためのボルト２５とを有している。この係合部８により、当該携帯用ライトを例えば自転車のハンドル等に係合することができる。
【００２５】
当該携帯用ライトは、ケーシング１内にランプ２、電池収納部３、電気的回路４及び制御部６を備えていることから、ケーシング１の外面側のスイッチ５をスライドさせることで、永久磁石１４の前方への移動をマグネチックセンサー１９で検知し、この検知信号に応じて制御部６が電気的回路４の断続を制御し、ランプ２の点灯形態を制御することができる。
【００２６】
また、当該携帯用ライトは、ケーシング１の前部９と後部１０とがＯリング１２により水密に螺合しており、さらにスイッチ５がケーシング１の外面側に付設され、スイッチ部分からの漏水が完全に防止されている。そのため、当該携帯用ライトは、防水性が格段に向上し、ダイビング等の際に水中で十分使用するすることができる。
【００２７】
さらに、当該携帯用ライトは、スイッチ５を前方にスライドさせる簡易かつ確実な操作で、ランプ２の点灯形態を切り替えることができ、利用度及び便利性が向上する。
【００２８】
なお、本発明の携帯用ライトは上記実施形態に限定されるものではない。例えば、スイッチは、永久磁石を有し、ケーシング外面側にスライド可能に付設されていればよく、バネ１６を有さず、所定方向にスライドさせて点灯し、戻して消灯する形態も可能である。また、マグネチックセンサーも、永久磁石の移動を検知可能なものであれば公知の種々の磁性センサーを使用することができる。
【００２９】
【発明の効果】
以上説明したように、本発明の携帯用ライトによれば、防止性が格段に高く、点灯形態の切替操作が簡易かつ確実であることから、水分が付着しやすい自転車等のヘッドランプやトレッキング、登山、ダイビング等のレジャーの照明用等として十分に使用することができる。
【図面の簡単な説明】
【図１】本発明の一実施形態に係る携帯用ライトを示す断面図である。
【図２】図１の携帯用ライトのスイッチ及び制御部を示す模式的拡大図である。
【符号の説明】
１  ケーシング
２  ランプ
３  電池収納部
４  電気的回路
５  スイッチ
６  制御部
７  電池
８  係合部
９  前部
１０  後部
１１  凸レンズ部
１２  ゴム製Ｏリング
１３  本体
１４  永久磁石
１５  カバー
１６  バネ
１７  グリップ部
１８  グリーンボード
１９  マグネチックセンサー
２０  ゴム被覆チップメモリー
２１  ガラス管
２２  金属線
２３  金属線
２４  係合片
２５  ボルト
【図１】
2005063696.tif 000003
【図２】
2005063696.tif 000004